【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
接着シートと、
前記接着シート上に互いの一部を重ねて配列した複数の磁性部材と、
を備えることを特徴とする磁性シート。
【請求項２】
前記複数の磁性部材が、複数の板状磁性部材であることを特徴とする請求項１記載の磁性シート。
【請求項３】
前記複数の磁性部材は、転圧粉砕されたことを特徴とする請求項１記載の磁性シート。
【請求項４】
前記接着シートに接着した磁性部材上に保護部材が接着されていることを特徴とする請求項１記載の磁性シート。
【請求項５】
前記接着シートが、両面粘着テープであることを特徴とする請求項１記載の磁性シート。
【請求項６】
前記保護部材が、保護テープであることを特徴とする請求項４記載の磁性シート。
【請求項７】
前記保護部材が、樹脂であることを特徴とする請求項４記載の磁性シート。
【手続補正２】
【補正対象書類名】明細書
【補正対象項目名】発明の名称
【補正方法】変更
【補正の内容】
【発明の名称】磁性シート
【手続補正３】
【補正対象書類名】明細書
【補正対象項目名】０００１
【補正方法】変更
【補正の内容】
【０００１】
本発明は、ＲＦ−ＩＤ、即ちＩＣカードやＩＣタグ等の無線通信媒体との通信を行う無線通信媒体処理装置に用いるアンテナ、あるいは無線通信媒体そのものに搭載されるアンテナ等において、電磁誘導方式、マイクロ波方式での通信性を向上させると共に、破損に強い磁性シートに関するものである。
【手続補正４】
【補正対象書類名】明細書
【補正対象項目名】００１０
【補正方法】変更
【補正の内容】
【００１０】
本発明は、アンテナ一体型の磁性シートにおいて、磁性シートとして必要最低限の物理的性能を有しつつ磁気性能を最大限に発揮させてアンテナの通信性能の向上を図る磁性シートを得ることを目的とする。
【手続補正５】
【補正対象書類名】明細書
【補正対象項目名】００１４
【補正方法】変更
【補正の内容】
【００１４】
また、接着シートと、接着シート上に配列した複数の磁性部材と、磁性部材間の隙間を埋める充填磁性部材と、を備えることを特徴とする磁性シートである。
【手続補正６】
【補正対象書類名】明細書
【補正対象項目名】００１５
【補正方法】変更
【補正の内容】
【００１５】
また、接着シートと、接着シート上に隙間無く接着された磁性粉末と、を備えることを特徴とする磁性シートである。
【手続補正７】
【補正対象書類名】明細書
【補正対象項目名】００１６
【補正方法】変更
【補正の内容】
【００１６】
請求項２記載の発明は、複数の磁性部材が、複数の板状磁性部材であることを特徴とする請求項１記載の磁性シートであり、請求項１記載の発明と同様の作用を奏する。
【手続補正８】
【補正対象書類名】明細書
【補正対象項目名】００１７
【補正方法】変更
【補正の内容】
【００１７】
請求項３記載の発明は、複数の磁性部材は、転圧粉砕されたことを特徴とする請求項１記載の磁性シートであり、請求項１記載の発明と同様の作用を奏する。
【手続補正９】
【補正対象書類名】明細書
【補正対象項目名】００１８
【補正方法】変更
【補正の内容】
【００１８】
請求項４記載の発明は、接着シートに接着した磁性部材上に保護部材が接着されていることを特徴とする請求項１記載の磁性シートであり、請求項１記載の発明と同様の作用を奏する。
【手続補正１０】
【補正対象書類名】明細書
【補正対象項目名】００１９
【補正方法】変更
【補正の内容】
【００１９】
請求項５記載の発明は、接着シートが、両面粘着テープであることを特徴とする請求項１記載の磁性シートであり、磁性シートの製造時に磁性部材を固定するとともに、磁性部材が接着された面と反対側の面のフィルムを剥がしてループアンテナや整合回路等を接着したり、ＲＦ−ＩＤの装置に貼り付けたりすることができる。
【手続補正１１】
【補正対象書類名】明細書
【補正対象項目名】００２０
【補正方法】変更
【補正の内容】
【００２０】
請求項６記載の発明は、保護部材が、保護テープであることを特徴とする請求項４記載の磁性シートであり、磁性シートの製造工程を簡素化することができる。
【手続補正１２】
【補正対象書類名】明細書
【補正対象項目名】００２１
【補正方法】変更
【補正の内容】
【００２１】
請求項７記載の発明は、保護部材が、樹脂であることを特徴とする請求項４記載の磁性シートであり、外部応力や衝撃による磁性シートの割れや欠け等の発生を防止することができる。また、磁性シートが優れた柔軟性を有するようになり、また、表面抵抗が高くなり、表面にパターン印刷やメッキ等による回路形成を行なうことが容易になる。
【手続補正１３】
【補正対象書類名】明細書
【補正対象項目名】００２２
【補正方法】変更
【補正の内容】
【００２２】
また、充填磁性部材が、複数の磁性部材間の隙間の上に配置された磁性部材片であることを特徴とする磁性シートであり、粉砕された磁性部材片が隙間に充填されて隙間を無くし、磁性シートにおける特性のバラツキを最小限に抑えることが可能となる。
【手続補正１４】
【補正対象書類名】明細書
【補正対象項目名】００２３
【補正方法】変更
【補正の内容】
【００２３】
また、充填磁性部材が、複数の磁性部材間の隙間に充填された磁性粉末であることを特徴とする磁性シートであり、磁性粉末が隙間に充填されて隙間を無くし、磁性シートにおける特性のバラツキを最小限に抑えることが可能となる。
【手続補正１５】
【補正対象書類名】明細書
【補正対象項目名】００２４
【補正方法】変更
【補正の内容】
【００２４】
また、充填磁性部材が、複数の磁性部材間の隙間の上に配置された二層目の磁性部材であることを特徴とする磁性シートであり、二層目の磁性部材が一層目の磁性部材の隙間に充填されて隙間を無くすとともに、磁性部材の厚さが厚くなり、磁気特性を向上させ、十分な通信距離を確保することができる。
【手続補正１６】
【補正対象書類名】明細書
【補正対象項目名】００２５
【補正方法】変更
【補正の内容】
【００２５】
また、充填磁性部材が、複数の磁性部材間の隙間の近傍に配置された二層目の磁性部材であることを特徴とする磁性シートであり、二層目の磁性部材が一層目の磁性部材の隙間に充填されて隙間を無くすとともに、磁性部材の厚さが厚くなり、磁気特性を向上させ、十分な通信距離を確保することができる。
【手続補正１７】
【補正対象書類名】明細書
【補正対象項目名】００２６
【補正方法】変更
【補正の内容】
【００２６】
また、接着シート上に複数の磁性部材を互いの一部を重ねて配列する工程と、複数の磁性部材を押圧して接着シートに接着する工程と、を含むことを特徴とする磁性シートの製造方法であり、簡素な製造工程により、低コストの磁性シートが得られるとともに、磁性部材の隙間を無くし、磁性シートにおける特性のバラツキを最小限に抑えることが可能となる。
【手続補正１８】
【補正対象書類名】明細書
【補正対象項目名】００２７
【補正方法】変更
【補正の内容】
【００２７】
また、接着シート上に複数の磁性部材を配列する工程と、複数の磁性部材間の隙間又は隙間近傍に充填磁性部材を配置する工程と、複数の磁性部材及び充填磁性部材を押圧して接着シートに接着する工程と、を含むことを特徴とする磁性シートの製造方法である。
【手続補正１９】
【補正対象書類名】明細書
【補正対象項目名】００２８
【補正方法】変更
【補正の内容】
【００２８】
また、接着シート上に複数の磁性部材を配列する工程と、複数の磁性部材間の隙間又は隙間近傍に充填磁性部材を配置する工程と、複数の磁性部材上及び充填磁性部材上に保護部材を接着する工程と、保護部材を介して複数の磁性部材及び充填磁性部材を押圧し接着シートに接着する工程と、を含むことを特徴とする磁性シートの製造方法である。
【手続補正２０】
【補正対象書類名】明細書
【補正対象項目名】００２９
【補正方法】変更
【補正の内容】
【００２９】
また、接着シート上に磁性粉末を隙間無く接着させる工程を含むことを特徴とする磁性シートの製造方法であり、簡素な製造工程により低コストの磁性シートが得られる。
【手続補正２１】
【補正対象書類名】明細書
【補正対象項目名】００３０
【補正方法】変更
【補正の内容】
【００３０】
また、複数の磁性部材が、複数の板状磁性部材であることを特徴とする磁性シートの製造方法である。
【手続補正２２】
【補正対象書類名】明細書
【補正対象項目名】００３１
【補正方法】変更
【補正の内容】
【００３１】
また、押圧が、転圧粉砕であることを特徴とする磁性シートの製造方法である。
【手続補正２３】
【補正対象書類名】明細書
【補正対象項目名】００３２
【補正方法】変更
【補正の内容】
【００３２】
また、接着シートに接着しなかった磁性部材を除去する工程を含むことを特徴とする磁性シートの製造方法である。
【手続補正２４】
【補正対象書類名】明細書
【補正対象項目名】００３３
【補正方法】変更
【補正の内容】
【００３３】
また、接着シートに接着した磁性部材上に保護部材を接着する工程を含むことを特徴とする磁性シートの製造方法である。
【手続補正２５】
【補正対象書類名】明細書
【補正対象項目名】００３４
【補正方法】変更
【補正の内容】
【００３４】
また、接着シートが、両面粘着テープであることを特徴とする磁性シートの製造方法であり、磁性シートの製造時に板状磁性部材を固定するとともに、磁性部材が接着された面と反対側の面のフィルムを剥がしてループアンテナや整合回路等を接着したり、ＲＦ−ＩＤの装置に貼り付けたりすることができる。
【手続補正２６】
【補正対象書類名】明細書
【補正対象項目名】００３５
【補正方法】変更
【補正の内容】
【００３５】
また、保護部材が、保護テープであることを特徴とする磁性シートの製造方法であり、磁性シートの製造工程を簡素化することができる。
【手続補正２７】
【補正対象書類名】明細書
【補正対象項目名】００３６
【補正方法】変更
【補正の内容】
【００３６】
また、保護部材が、樹脂であることを特徴とする磁性シートの製造方法であり、外部応力や衝撃による磁性シートの割れや欠け等の発生を防止することができる。また、磁性シートが優れた柔軟性を有するようになり、また、表面抵抗が高くなり、表面にパターン印刷やメッキ等による回路形成を行なうことが容易になる。
【手続補正２８】
【補正対象書類名】明細書
【補正対象項目名】００３７
【補正方法】変更
【補正の内容】
【００３７】
また、充填磁性部材が、複数の磁性部材間の隙間の上に配置された磁性部材片であることを特徴とする磁性シートの製造方法であり、粉砕された磁性部材片が隙間に充填されて隙間を無くし、磁性シートにおける特性のバラツキを最小限に抑えることが可能となる。
【手続補正２９】
【補正対象書類名】明細書
【補正対象項目名】００３８
【補正方法】変更
【補正の内容】
【００３８】
また、充填磁性部材が、複数の磁性部材間の隙間に充填された磁性粉末であることを特徴とする磁性シートの製造方法であり、磁性粉末が隙間に充填されて隙間を無くし、磁性シートにおける特性のバラツキを最小限に抑えることが可能となる。
【手続補正３０】
【補正対象書類名】明細書
【補正対象項目名】００３９
【補正方法】変更
【補正の内容】
【００３９】
また、充填磁性部材が、複数の磁性部材間の隙間の上に配置された二層目の磁性部材であることを特徴とする磁性シートの製造方法であり、二層目の磁性部材が一層目の磁性部材の隙間に充填されて隙間を無くすとともに、磁性部材の厚さが厚くなり、磁気特性を向上させ、十分な通信距離を確保することができる。
【手続補正３１】
【補正対象書類名】明細書
【補正対象項目名】００４０
【補正方法】変更
【補正の内容】
【００４０】
また、充填磁性部材が、複数の磁性部材間の隙間の近傍に配置された二層目の磁性部材であることを特徴とする磁性シートの製造方法であり、二層目の磁性部材が一層目の磁性部材の隙間に充填されて隙間を無くすとともに、磁性部材の厚さが厚くなり、磁気特性を向上させ、十分な通信距離を確保することができる。